(57)【要約】【課題】開き戸下端と床面との間の足の指挟みを防止することができる開き戸の足の指挟み防止構造を提供することを課題とする。【解決手段】足の指挟み防止構造１では、開き戸２の下端部にカバー部材３が弾性部材４を介して取り付けられている。カバー部材３が上下方向に移動可能であるため、開き戸３の下端と床面６との間に足の指８が入り込んだとき、弾性部材４の変形によりカバー部材３が上方向に移動し、開き戸２と床面６との間にスペースができ、足の指挟みの防止を図ることができる。また、弾性部材４が発泡樹脂であるとよい。【選択図】    図１
2010013821.tif 000002
【特許請求の範囲】
【請求項１】
開き戸の下端部にカバー部材が弾性部材を介して取り付けられ、該カバー部材が上下方向に移動可能であることを特徴とする開き戸の足の指挟み防止構造。
【請求項２】
前記弾性部材が発泡樹脂である請求項１に記載の開き戸の足の指挟み防止構造。
【請求項３】
前記開き戸の下端部に幅方向にわたって凹部が形成され、前記カバー部材は本体部と本体部から突設した二条の突起部とからなり、該二条の突起部間に前記弾性部材が配設され、該二条の突起部が前記凹部間に収設される請求項１又は２に記載の開き戸の足の指挟み防止構造。
【発明の詳細な説明】
【技術分野】
【０００１】
本発明は、開き戸の足の指挟みに関する。
【背景技術】
【０００２】
開き戸の開け閉めの際に、開き戸と扉枠の間に指を挟んでしまうことがあり、指挟みを防止するために様々な提案がなされている。
【０００３】
【特許文献１】実用新案登録第３１３０４４７号公報
【特許文献２】特開２００３−１８４４１９号公報
【発明の開示】
【発明が解決しようとする課題】
【０００４】
しかし、従来提案されているのは開き戸の戸尻と扉枠間又は開き戸の戸先と扉枠間の手の指挟み防止を目的とした提案ばかりであり、開き戸下端と床面との間の足の指挟み防止を目的とした提案はなされていない。
【０００５】
本発明は、以上のような問題点に鑑み開き戸下端と床面との間の足の指挟み防止構造を提供することを課題とする。
【課題を解決するための手段】
【０００６】
上記の課題は、開き戸の下端部にカバー部材が弾性部材を介して取り付けられ、該カバー部材が上下方向に移動可能であることを特徴とする開き戸の足の指挟み防止構造により解決される。
【０００７】
この足の指挟み防止構造では、開き戸の下端部にカバー部材が弾性部材を介して取り付けられ、該カバー部材が上下方向に移動可能であるため、開き戸下端と床面との間に足の指が入り込んだとき、弾性部材の変形によりカバー部材が上方向に移動し、開き戸と床面との間にスペースができ、足の指挟みの防止を図ることができる。
【０００８】
また、開き戸下端と床面を覆う緩衝部材ではなく、カバー部材を用いて本構造を実現しているため、意匠的にも居住者の要求を満たせるとともに、使用してもへたれることのない耐久性のある足の指挟み防止構造を実現することができる。さらに、本構造は足の指挟み防止という目的を単純な構造により実現しているため、低コストで実現することができる。
【０００９】
上記の足の指挟み防止構造において、弾性部材が発泡樹脂であればよい。
【００１０】
この場合は、開き戸の下端部とカバー部材が発泡樹脂により固定されているため、足の指が挟まった場合にカバー材が衝撃を受けると発泡樹脂がその衝撃を吸収するとともに、発泡樹脂が変形することによりカバー部材が上方向に移動し足の指挟みを効果的に防止することができる。また、発泡樹脂が有する定型性により開き戸と床面の間に足の指が挟まっていない平常状態において、開き戸の下端部に設けられたカバー部材が揺れることなくしっかりとした取付け状態を保持することができる。
【００１１】
さらに上記の足の指挟み防止構造において、前記開き戸の下端部に幅方向にわたって凹部が形成され、前記カバー部材は本体部と本体部から突設した二条の突起部とからなり、該二条の突起部間に前記弾性部材が配設され、該二条の突起部が前記凹部間に収設されるようになされているとよい。
【００１２】
この場合は、二条の突起部間に前記弾性部材が配設されるとともに、該二条の突起部が前記凹部間に収設されるようになされているため、カバー部材が取付け状態において不必要に揺れるなどの動きを抑制することができるとともに、足の指が開き戸下端と床面との間に挟まった場合に、カバー部材が上下方向にしっかりと移動することができる。さらに、二条の突起部間に弾性部材が配設されているため、開き戸下端部にカバー部材を取付けた状態において、開き戸にカバー部材を固定している弾性部材が突起部に隠れてしまい外部から目視することができず、意匠性のよいすっきりとした足の指挟み防止構造を実現することができる。
【発明の効果】
【００１３】
本発明は以上のとおりであるから、開き戸下端と床面との間の足の指挟みを防止することができる。
【発明を実施するための最良の形態】
【００１４】
次に、本発明の実施最良形態を図面に基づいて説明する。
【００１５】
図１、２に示す本発明の実施形態の開き戸の足の指挟み防止構造１において、２は開き戸、３はカバー部材、４は弾性部材、６は床面である。
【００１６】
足の指挟み防止構造１は、開き戸２とカバー部材３と弾性部材４で構成される。図１（イ）（ロ）に示すように、開き戸２の下端部には、開き戸の幅方向両端部を除く幅方向にわたって凹部５が形成され、凹部５は底部５ａと両端から突出する側部５ｂ、５ｂからなる。開き戸２の下端部を開き戸の両側部を除く幅方向にわたって凹部５が形成しているため、開き戸の側面からカバー部材の端部が見えず意匠性の高い納まりとすることができる。一方カバー部材３は、図１（ロ）、図２（イ）に示すように開き戸１の幅方向とほぼ同じ幅寸法を有するプレート状のカバー部材本体部３ａとそのカバー部材本体部３ａから突設した二条の突起部３ｂ、３ｂとからなる。突起部３ｂ、３ｂの幅寸法は後述するように開き戸２の凹部５内に収納されるように、カバー部材本体部３ａの幅方向よりも若干小さくなっている。なお、カバー部材本体部３ａの幅方向と直交する方向の寸法は開き戸２の厚さ寸法とほぼ同じ寸法であり、二条の突起部３ｂ、３ｂの間隔寸法は二条の突起部３ｂ、３ｂの外縁寸法が開き戸下端部の凹部５の内寸法より少し小さくなっている。
【００１７】
弾性部材４はカバー部材本体部３ａの二条の突起部３ｂ、３ｂ間に図示しない両面テープで貼設されるとともに、開き戸２の凹部５の底部５ａにも図示しない両面テープで貼設されることにより、開き戸２に対してカバー部材３は弾性部材４を介して取り付けられている。弾性部材はカバー部材３を保持することができるとともに、足の指がカバー材３の下に挟まった時に収縮してカバー部材３が上方向へ移動することができる弾性性能を有するものが選定される。ここで弾性部材４として発泡樹脂を用いている。また、弾性部材の貼設は両面テープに限らず接着剤など他の方法によってもよい。
【００１８】
図１（イ）に示すように、カバー部材本体部３ａから突設した二条の突起部３ｂ、３ｂの高さ寸法はカバー部材３を開き戸下端部に取り付けた状態で先端部が５内に収納されるとともに、カバー部材３が開き戸に対して上方向へ移動可能な寸法に設定されている。
【００１９】
開き戸２の下端部にカバー部材３が弾性部材４を介して取り付けられており、カバー部材３の二条の突設部３ｂ、３ｂは開き戸２の下端部の凹部５内へ収設され、弾性部材４の収縮によりカバー部材３は開き戸２の下端部において自在に上下方向へ移動することができる。特に二条の突起部３ｂ、３ｂの間隔寸法は二条の突起部３ｂ、３ｂの外縁寸法が開き戸下端部の凹部５の内寸法より少し小さくなっているため、カバー部材３の上下の移動に際して、開き戸３の戸の表裏方向にぶれることなく安定的に上下方向へ移動することができる。
【００２０】
開き戸の下端部にカバー部材が弾性部材を介して取り付けられ、該カバー部材が上下方向に移動可能であるため、開き戸下端と床面との間に足の指が入り込んだとき、弾性部材の変形によりカバー部材が上方向に移動し、開き戸と床面との間にスペースができ、足の指挟みの防止を図ることができる。
【００２１】
また、開き戸下端と床面を覆う緩衝部材ではなく、カバー部材を用いて本構造を実現しているため、意匠的にも居住者の要求を満たせるとともに、使用してもへたれることのない耐久性のある足の指挟み防止構造を実現することができる。さらに、本構造は足の指挟み防止という目的を単純な構造により実現しているため、低コストで実現することができる。
【００２２】
図３（イ）（ロ）は、足の指挟み防止構造１の実施状況を示す図である。
【００２３】
足の指挟み防止構造１を有する開き戸２が開閉する際、開き戸１の下端部と床面５の隙間に足の指８が挟まれると、足の指８を反力として開き戸２の下端部に取り付けられたカバー部材３が弾性部材４の収縮により上方向にスライドし、足の指が開き戸２と床面５との隙間７に挟まれるのを防止する。足の指８は、通常の開き戸と床面との隙間に挟まったのと同様に開き戸と床面との隙間に位置したままであるが、足の指挟み防止構造１を有する開き戸２ではカバー部材３が足の指８を反力として弾性部材４の収縮により上方向にスライドするため、開き戸の下端部と床面との隙間が大きくなることによって足の指が挟まれるのを防止するものである。
【００２４】
足の指を開き戸２と床面５との隙間７から抜くと、カバー部材３は弾性部材の復元によりもとの位置に戻り、開き戸として通常の使用をすることができる。
【００２５】
開き戸３の下端部に設けられた凹部５とカバー部材３に設けられた二条の突設部３ｂ、３ｂとの組み合わせにより、二条の突起部３ｂ、３ｂが凹部５間を移動するようになされているため、カバー部材３が取付け状態において不必要に揺れるなどの動きを抑制することができるとともに、足の指が開き戸下端と床面との間に挟まった場合に、カバー部材が上下方向にしっかりと移動することができる。さらに、二条の突起部３ｂ、３ｂ間に弾性部材４が配設されているため、開き戸下端部にカバー部材を取付けた状態において、開き戸にカバー部材を固定している弾性部材が突起部に隠れてしまい外部から目視することができず、意匠性のよいすっきりとした足の指挟み防止構造を実現することができる。
【００２６】
以上に、本発明の実施形態を示したが、本発明はこれに限られるものではなく、発明思想を逸脱しない範囲で各種の変更が可能である。例えば、上記の実施形態では、弾性部材として発泡樹脂を用いた場合について示したが、弾性部材は発泡樹脂に限定されることはなく、弾性を有するものであればよく、図４（イ）に示すようにバネ４であってもよくまたその他の弾性部材であってもよいのはいうまでもない。
【００２７】
また、上記実施形態では、開き戸の下端部に凹部を設けるとともにカバー部材に二条の突設部を設けたが、図４（ロ）に示すように凹部のない開き戸２の下端部に弾性部材４を介してプレート状のカバー部材３を設けただけでもよい。
【００２８】
また、開き戸の下端部には、意匠性向上を目的として開き戸の両側部を除く幅方向にわたって凹部が形成された場合を示したが、開き戸の両端部を含む開き戸の下端部全幅にわたって凹部が形成されていてもよい。
【００２９】
さらに、上記実施形態ではカバー部材が開き戸下端部の幅方向全てにわたって設けられている場合について示したが、開き戸下端部の一部、例えば、足の指を挟みやすい箇所に設けてもよい。また、カバー部材の上下の移動幅についても特に制限はなく、開き戸の設置状況等に応じて適宜定められればよく、凹部の深さやカバー部材の突起部の高さなどは任意に定められればよい。
さらに、上記実施形態ではカバー部材に設けられ二条の突起部が連続した二条の突起から構成されている場合について示したが、断続的に突起部が設けられていてもよい。
【００３０】
また、上記実施形態ではカバー部材３は本体部３ａと二条の突起部３ｂ、３ｂからなる場合について示したが、カバー部材３は図５に示すように、本体部３ａの両端部から突起部３ｂと同じ方向にそれぞれ延出し、突起部３ｂ、３ｂとで開き戸下端部の側部５ｂを挟みこむヒレ部３ｃ、３ｃを有していてもよい。ヒレ３ｃの断面形状は例えば、方形状であってもよいし、カバー部材幅方向外側にわん曲していてもよい。ヒレ部３ｃ、３ｃを設けることで開き戸下端部の意匠をすっきりとしたものとすることができる。また、ヒレ部３ｃ、３ｃを軟質系の部材とした場合、開き戸下端部に足の指を当ててしまったときの襲撃を和らげることができ、足の指がけがすることを防ぐことができる。
【図面の簡単な説明】
【００３１】
【図１】図（イ）は、本発明の実施形態を示す開き戸の下端部の構造を示す図（ロ）のＡ−Ａ線断面図である一部断面側面図、図（ロ）は開き戸の下端部の構造を示す一部断面正面図である。
【図２】図（イ）は、本発明の実施形態を示す一部断面分解斜視図、図（ロ）は本発明を適用した開き戸を示す斜視図である。
【図３】本発明の実施形態であって足の指挟み防止動作を説明する図であって、図（イ）は足の指が挟まる前、図（ロ）は足の指が挟まった後の状況を示す一部断面側面図である。
【図４】図（イ）（ロ）はそれぞれ本発明の他の実施例を示す一部断面側面図である。
【図５】本発明の他の実施例を示す一部断面側面図である。
【符号の説明】
【００３２】
１・・・開き戸の足の指挟み防止構造
２・・・開き戸
３・・・カバー部材
４・・・弾性部材
５・・・凹部
６・・・床面
【図１】
2010013821.tif 000003
【図２】
2010013821.tif 000004
【図３】
2010013821.tif 000005
【図４】
2010013821.tif 000006
【図５】
2010013821.tif 000007